(57)【要約】【課題】利用者の通信端末に全天球パノラマ画像用ビューアをインストールせずとも、全天球パノラマ画像の一部である２次元の所定領域画像を表示・閲覧させること。【解決手段】画像管理システム５は、所定領域画像を記憶せず、所定領域情報を記憶しておき、通信端末７から所定領域画像の送信要求を受信してから（Ｓ４１）、２次元の所定領域画像を作成して（Ｓ４８）、通信端末７に送信する（Ｓ４９）。【選択図】図１８
2018026642.tif 000002
【特許請求の範囲】
【請求項１】
画像データを管理する画像管理システムであって、
前記画像データを記憶する記憶手段と、
前記画像データに係る画像における所定領域を示すための所定領域情報を管理する所定領域情報管理手段と、
所定の通信端末から、前記所定領域の画像である所定領域画像の送信要求を受信する受信手段と、
前記送信要求の受信に応じて、前記画像データに係る画像において前記所定領域情報で示される所定領域の所定領域画像データを作成する所定領域画像作成手段と、
前記作成された所定領域画像データを前記所定の通信端末に送信する送信手段と、
を有する画像管理システム。
【請求項２】
請求項１に記載の画像管理システムであって、
前記送信要求の受信に応じて、前記画像データに係る画像において前記所定領域情報で示される所定領域の所定のサムネイルデータを作成するサムネイル作成手段と、
前記作成された所定のサムネイルデータ、及び当該所定のサムネイルデータを識別するための所定のサムネイル識別情報を関連付けて管理するサムネイル管理手段と、
を有し、
前記送信手段は、前記所定の通信端末に前記所定のサムネイルデータ及び前記所定のサムネイル識別情報を送信し、
前記受信手段は、前記所定のサムネイルデータ及び前記所定のサムネイル識別情報の送信に応じて、前記所定の通信端末から送信された特定のサムネイル識別情報を受信し、
前記所定領域画像作成手段は、前記特定のサムネイル識別情報で示される特定のサムネイルデータが作成された基になる所定領域情報で示される所定領域画像データを作成する画像管理システム。
【請求項３】
前記受信手段は、他の通信端末から送信された前記画像データ及び前記所定領域情報を受信し、
前記記憶手段は、前記受信された画像データを記憶し、
前記所定領域情報管理手段は、前記画像データに係る画像における所定領域を示すための所定領域情報を管理する請求項１又は２に記載の画像管理システム。
【請求項４】
前記画像データは全天球パノラマ画像データであり、所定領域画像データは前記全天球パノラマ画像データに係る画像の一部の領域の画像データである請求項１乃至３のいずれか一項に記載の画像管理システム。
【請求項５】
前記画像データのファイル形式がＲＡＷで、所定領域画像データのファイル形式がＪＰＥＧ、ＴＩＦＦ、ＢＭＰ、又はＧＩＦである請求項１乃至４のいずれか一項に記載の画像管理システム。
【請求項６】
請求項１乃至５のいずれか一項に記載の画像管理システムと、
撮影して得た前記画像データを前記所定の通信端末に送信する撮影装置と、
を有する画像通信システム。
【請求項７】
画像データを管理する画像管理システムが実行する画像管理方法であって、
前記画像管理システムは、
前記画像データを記憶する記憶手段と、
前記画像データに係る画像における所定領域を示すための所定領域情報を管理する所定領域情報管理手段と、
を有し、
前記画像管理システムは、
所定の通信端末から、前記所定領域の画像である所定領域画像の送信要求を受信し、
前記送信要求の受信に応じて、前記画像データに係る画像において前記所定領域情報で示される所定領域の所定領域画像データを作成し、
前記作成された所定領域画像データを前記所定の通信端末に送信する送信する画像管理方法。
【請求項８】
請求項７に記載の画像管理方法であって、
前記画像管理システムは、
前記送信要求の受信に応じて、前記画像データに係る画像において前記所定領域情報で示される所定領域の所定のサムネイルデータを作成し、
前記作成された所定のサムネイルデータ、及び当該所定のサムネイルデータを識別するための所定のサムネイル識別情報を関連付けてサムネイル管理手段で管理し、
前記所定の通信端末に前記所定のサムネイルデータ及び前記所定のサムネイル識別情報を送信し、
前記所定のサムネイルデータ及び前記所定のサムネイル識別情報の送信に応じて、前記所定の通信端末から送信された特定のサムネイル識別情報を受信し、
前記特定のサムネイル識別情報で示される特定のサムネイルデータが作成された基になる所定領域情報で示される所定領域画像データを作成する画像管理方法。
【請求項９】
他の通信端末から送信された前記画像データ及び前記所定領域情報を受信し、
前記記憶手段に前記受信された画像データを記憶し、
前記所定領域情報管理手段で前記画像データに係る画像における所定領域を示すための所定領域情報を管理する請求項７又は８に記載の画像管理方法。
【請求項１０】
コンピュータに、請求項７乃至９のいずれか一項に記載の画像管理方法を実行させるためのプログラム。
【発明の詳細な説明】
【技術分野】
【０００１】
本発明は、画像管理システム、画像通信システム、画像管理方法、及びプログラムに関するものである。
【背景技術】
【０００２】
近年、一度の撮影で、３６０°の全天球パノラマ画像を得る特殊なデジタルカメラが提供されている。但し、この特殊なデジタルカメラは、全天球パノラマ画像を得るが、そのままでは画像が湾曲して表示されるため、利用者にとっては閲覧しづらい。そのため、利用者はスマートフォンやＰＣ等の通信端末に、三次元の全天球パノラマ画像を閲覧するためのソフトウェア（ビューア）をインストールし、このビューアを利用して、全天球パノラマ画像の一部であって所定の視点からの視野に入る所定領域における所定領域画像を表示させている。これにより、利用者は、従来のデジタルカメラで撮影された画像に近い平面画像を閲覧する感覚で二次元の所定領域画像を閲覧することができる。
【０００３】
また、利用者が所定領域画像を他の利用者と共有したい場合、利用者はサーバに全天球パノラマ画像や、所定領域画像を示す所定領域情報（パラメータ）をアップロードしておく。そして、他の利用者が自己の通信端末にサーバから全天球パノラマ画像や所定領域情報をダウンロードし、上記ビューアを利用して二次元の所定領域画像を閲覧する（特許文献１参照）。
【発明の概要】
【発明が解決しようとする課題】
【０００４】
しかしながら、他の利用者の通信端末に必ずしも全天球パノラマ画像等の一部表示用のビューアがインストールされている訳ではないため、平面画像に近い二次元の所定領域画像を閲覧することができない場合があり得る。また、全天球パノラマ画像等の画像がアップロードされたサーバ側で、この画像の全体から所定領域画像を作成して管理しておき、他の利用者からの要求に応じて、他の利用者の通信端末に所定領域画像を送信しようとすると、所定領域画像数が増加するに伴い、サーバ側では所定領域画像データを管理しておくために多くの記憶領域を必要とするという課題が生じる。
【課題を解決するための手段】
【０００５】
請求項１に係る発明は、画像データを管理する画像管理システムであって、前記画像データを記憶する記憶手段と、前記画像データに係る画像における所定領域を示すための所定領域情報を管理する所定領域情報管理手段と、前記所定の通信端末から、前記所定領域の画像である所定領域画像の要求を受信する受信手段と、前記要求の受信に応じて、前記画像データに係る画像において前記所定領域情報で示される所定領域の所定領域画像を作成する所定領域画像作成手段と、前記作成された所定領域画像を前記所定の通信端末に送信する送信手段と、を有する画像管理システムである。
【発明の効果】
【０００６】
以上説明したように本発明によれば、サーバとしての画像管理システムの記憶領域の使用を抑制しつつ、画像の一部表示用のビューアがインストールされていない通信端末にて所定領域画像を閲覧することができる。
【図面の簡単な説明】
【０００７】
【図１】（ａ）は撮影装置の左側面図であり、（ｂ）は撮影装置の正面図であり、（ｃ）は撮影装置の平面図である。
【図２】撮影装置の使用イメージ図である。
【図３】（ａ）は撮影装置で撮影された半球画像（前）、（ｂ）は撮影装置で撮影された半球画像（後）、（ｃ）はメルカトル図法により表された画像を示した図である。
【図４】（ａ）メルカトル画像で球を被う状態を示した概念図、（ｂ）全天球パノラマ画像を示した図である。
【図５】全天球パノラマ画像を３次元の立体球とした場合の仮想カメラ及び所定領域の位置を示した図である。
【図６】（ａ）は図５の立体斜視図、（ｂ）は通信端末のディスプレイに所定領域の画像が表示されたている状態を示す図である。
【図７】所定領域情報と所定領域Ｔの画像との関係を示した図である。
【図８】本発明の実施形態に係る画像通信システムの概略図である。
【図９】撮影装置のハードウェア構成図である。
【図１０】通信端末３のハードウェア構成図である。
【図１１】画像管理システム５及び通信端末７のハードウェア構成図である。
【図１２】画像通信システムの機能ブロック図である。
【図１３】撮影画像管理テーブルを示す概念図である。
【図１４】所定領域画像管理テーブルを示す概念図である。
【図１５】サムネイル管理テーブルを示す概念図である。
【図１６】撮影画像データ及び所定領域情報のアップロードの処理を示したシーケンス図である。
【図１７】（ａ）、（ｂ）はディスプレイに所定領域画像が表示された通信端末を示す図である。
【図１８】所定領域画像データのダウンロードの処理を示したシーケンス図である。
【図１９】（ａ）は通信端末７におけるサムネイルの表示例、（ｂ）は通信端末７における所定領域画像の表示例を示す図である。
【発明を実施するための形態】
【０００８】
以下、図面を用いて、本発明の実施形態について説明する。
【０００９】
＜＜実施形態の概略＞＞
＜全天球パノラマ画像の生成方法＞
図１乃至図７を用いて、全天球パノラマ画像の生成方法について説明する。
【００１０】
まず、図１を用いて、撮影装置１の外観を説明する。撮影装置１は、全天球（３６０°）パノラマ画像の元になる撮影画像を得るためのデジタルカメラである。なお、図１（ａ）は撮影装置の左側面図であり、図１（ｂ）は撮影装置の正面図であり、図１（ｃ）は撮影装置の平面図である。
【００１１】
図１（ａ）に示されているように、撮影装置１は、人間が片手で持つことができる大きさである。また、図１（ａ），図１（ｂ），図１（ｃ）に示されているように、撮影装置１の上部には、正面側（前側）に撮像素子１０３ａ及び背面側（後側）に撮像素子１０３ｂが設けられている。これら撮像素子（画像センサ）１０３ａ，１０３ｂは、半球画像（画角１８０°以上）の撮影が可能な光学部材（例えば、後述する魚眼レンズ１０２ａ，１０２ｂ）と併せて用いられる。また、図１（ｂ）に示されているように、撮影装置１の正面側と反対側の面には、シャッターボタン等の操作部１１５が設けられている。
【００１２】
次に、図２を用いて、撮影装置１の使用状況を説明する。なお、図２は、撮影装置の使用イメージ図である。撮影装置１は、図２に示されているように、例えば、ユーザが手に持ってユーザの周りの被写体を撮影するために用いられる。この場合、図１に示されている撮像素子１０３ａ及び撮像素子１０３ｂによって、それぞれユーザの周りの被写体が撮像されることで、２つの半球画像を得ることができる。
【００１３】
次に、図３及び図４を用いて、撮影装置１で撮影された画像から全天球パノラマ画像が作成されるまでの処理の概略を説明する。なお、図３（ａ）は撮影装置で撮影された半球画像（前側）、図３（ｂ）は撮影装置で撮影された半球画像（後側）、図３（ｃ）はメルカトル図法により表された画像（以下、「メルカトル画像」という）を示した図である。図４（ａ）はメルカトル画像で球を被う状態を示した概念図、図４（ｂ）は全天球パノラマ画像を示した図である。
【００１４】
図３（ａ）に示されているように、撮像素子１０３ａによって得られた画像は、後述の魚眼レンズ１０２ａによって湾曲した半球画像（前側）となる。また、図３（ｂ）に示されているように、撮像素子１０３ｂによって得られた画像は、後述の魚眼レンズ１０２ｂによって湾曲した半球画像（後側）となる。そして、半球画像（前側）と、１８０度反転された半球画像（後側）とは、撮影装置１によって合成され、図３（ｃ）に示されているように、メルカトル画像が作成される。
【００１５】
そして、OpenGL ES（Open Graphics Library for Embedded Systems）が利用されることで、図４（ａ）に示されているように、メルカトル画像が球面を覆うように貼り付けられ、図４（ｂ）に示されているような全天球パノラマ画像が作成される。このように、全天球パノラマ画像は、メルカトル画像が球の中心を向いた画像として表される。なお、OpenGL ESは、２Ｄ(2-Dimensions)および３Ｄ(3-Dimensions)のデータを視覚化するために使用するグラフィックスライブラリである。なお、全天球パノラマ画像は、静止画であっても動画であってもよい。
【００１６】
以上のように、全天球パノラマ画像は、球面を覆うように貼り付けられた画像であるため、人間が見ると違和感を持ってしまう。そこで、全天球パノラマ画像の一部の所定領域（以下、「所定領域画像」という）を湾曲の少ない平面画像として表示することで、人間に違和感を与えない表示をすることができる。これに関して、図５及び図６を用いて説明する。
【００１７】
なお、図５は、全天球パノラマ画像を３次元の立体球とした場合の仮想カメラ及び所定領域の位置を示した図である。仮想カメラＩＣは、３次元の立体球として表示されている全天球パノラマ画像に対して、その画像を見るユーザの視点の位置に相当するものである。また、図６（ａ）は図５の立体斜視図、図６（ｂ）はディスプレイに表示された場合の所定領域画像を表す図である。また、図６（ａ）では、図４に示されている全天球パノラマ画像が、３次元の立体球ＣＳで表わされている。このように生成された全天球パノラマ画像が、立体球ＣＳであるとすると、図５に示されているように、仮想カメラＩＣが全天球パノラマ画像の外部に位置している。全天球パノラマ画像における所定領域Ｔは、この全天球パノラマ画像における仮想カメラＩＣの位置の所定領域情報によって特定される。この所定領域情報は、三次元の仮想空間における座標（ｘ(rH)、ｙ(rV)、及び画角α(angle)）又は座標（Ｘ，Ｙ，Ｚ）によって示される。所定領域Ｔのズームは、画角αの範囲（円弧）を広げたり縮めたりすることで表現することができる。また、所定領域Ｔのズームは、仮想カメラＩＣを全天球パノラマ画像に近づいたり、遠ざけたりすることで表現することもできる。
【００１８】
そして、図６（ａ）で示されているように、全天球パノラマ画像における所定領域Ｔの画像は、図６（ｂ）に示されているように、所定のディスプレイに、所定領域画像として表示される。図６（ｂ）に示されている画像は、初期設定（デフォルト）された所定領域情報によって表された画像である。なお、ここでは、座標（ｘ(rH)、ｙ(rV)、及び画角α(angle)）を用いて説明する。
【００１９】
次に、図７を用いて、所定領域情報と所定領域Ｔの画像の関係について説明する。なお、図７は、所定領域情報と所定領域Ｔの画像の関係との関係を示した図である。図７に示されているように、仮想カメラＩＣの画角αによって表される所定領域Ｔの対角線画角を２Ｌとした場合の中心点ＣＰが、所定領域情報の（ｘ，ｙ）パラメータとなる。ｆは仮想カメラＩＣから中心点ＣＰまでの距離である。そして、図７では、一般的に以下の式（１）で示される三角関数が成り立つ。
【００２０】
Ｌｆ＝ｔａｎ（α／２）・・・（式１）
＜画像通信システムの概略＞
続いて、図８を用いて、本実施形態の画像通信システムの構成の概略について説明する。図８は、本実施形態の画像通信システムの構成の概略図である。
【００２１】
図８に示されているように、本実施形態の画像通信システムは、撮影装置１、通信端末３、画像管理システム５、及び通信端末７によって構成されている。
【００２２】
このうち、撮影装置１は、上述のように、全天球パノラマ画像を得るためのデジタルカメラである。なお、この撮影装置１は、一般的なデジタルカメラであっても良く、また、通信端末３にカメラが付いている場合は、通信端末３がデジタルカメラとなりうる。なお、撮影装置１と通信端末３とを統合して一台の端末で構成してもよい。
本実施形態では、説明を分かりやすくするために、撮影装置１を、全天球パノラマ画像を得るためのデジタルカメラとして説明を行う。通信端末３は、例えば、携帯電話やスマートフォン等の携帯端末であり、ＷｉＦｉ等の無線通信技術を利用し、撮影装置１とデータ通信する。また、通信端末３は、通信ネットワーク９を介して画像管理システム５ともデータ通信を行なうことができる。なお、通信ネットワーク９は、接続形態としては、無線・有線のいずれでも良く、例えば、インターネットである。
【００２３】
また、画像管理システム５は、例えば、サーバコンピュータであり、通信ネットワーク９を介して、通信端末３，７とデータ通信を行なうことができる。画像管理システム５には、OpenGL ESがインストールされており、全天球パノラマ画像を作成する。また、画像管理システム５は、全天球パノラマ画像の一部の領域を示す所定領域情報（又は、この所定領域情報で示される画像である所定領域画像を作成し、通信端末７に撮影画像データ及び所定領域情報（又は所定領域画像）を提供する。なお、画像管理システム５は、単一のコンピュータによって構築されてもよいし、各部（機能、手段、又は記憶部）を分割して任意に割り当てられた複数のコンピュータによって構築されていてもよい。
【００２４】
また、通信端末７は、例えば、ノートＰＣ(Personal Computer)であり、通信ネットワーク９を介して、画像管理システム５とデータ通信を行なうことができる。なお、画像管理システム５は、単一のサーバコンピュータによって構成されてもよいし、複数のサーバコンピュータによって構成されてもよい。
【００２５】
更に、撮影装置１及び通信端末３は、撮影者Ｘによって利用される。通信端末７は、閲覧者Ｙによって利用される。画像管理システム５は、各拠点の通信端末３から送られて来た撮影画像データを通信端末７に提供するサービスを行なうサービス会社等に設置されている。
【００２６】
＜実施形態のハードウェア構成＞
次に、図９乃至図１１を用いて、本実施形態の撮影装置１、通信端末３，７、及び画像管理システム５のハードウェア構成を詳細に説明する。
【００２７】
まず、図９を用いて、撮影装置１のハードウェア構成を説明する。なお、図９は、撮影装置のハードウェア構成図である。以下では、撮影装置１は、２つの撮像素子を使用した全天球（全方位）撮影装置とするが、撮像素子は２つ以上いくつでもよい。また、必ずしも全方位撮影専用の装置である必要はなく、通常のデジタルカメラやスマートフォン等に後付けの全方位撮影ユニットを取り付けることで、実質的に撮影装置１と同じ機能を有するようにしてもよい。
【００２８】
図９に示されているように、撮影装置１は、撮像ユニット１０１、画像処理ユニット１０４、撮像制御ユニット１０５、マイク１０８、音処理ユニット１０９、ＣＰＵ(Central Processing Unit)１１１、ＲＯＭ(Read Only Memory)１１２、ＳＲＡＭ(Static Random Access Memory)１１３、ＤＲＡＭ(Dynamic Random Access Memory)１１４、操作部１１５、ネットワークＩ／Ｆ１１６、通信部１１７、及びアンテナ１１７ａによって構成されている。
【００２９】
このうち、撮像ユニット１０１は、各々半球画像を結像するための１８０°以上の画角を有する広角レンズ（いわゆる魚眼レンズ）１０２ａ，１０２ｂと、各広角レンズに対応させて設けられている２つの撮像素子１０３ａ，１０３ｂを備えている。撮像素子１０３ａ，１０３ｂは、魚眼レンズ１０２ａ，１０２ｂによる光学像を電気信号の画像データに変換して出力するＣＭＯＳ(Complementary Metal Oxide Semiconductor)センサやＣＣＤ(Charge Coupled Device)センサなどの画像センサ、この画像センサの水平又は垂直同期信号や画素クロックなどを生成するタイミング生成回路、この撮像素子の動作に必要な種々のコマンドやパラメータなどが設定されるレジスタ群などを有している。
【００３０】
撮像ユニット１０１の撮像素子１０３ａ，１０３ｂは、各々、画像処理ユニット１０４とパラレルＩ／Ｆバスで接続されている。一方、撮像ユニット１０１の撮像素子１０３ａ，１０３ｂは、撮像制御ユニット１０５とは別に、シリアルＩ／Ｆバス（Ｉ２Ｃバス等）で接続されている。画像処理ユニット１０４及び撮像制御ユニット１０５は、バス１１０を介してＣＰＵ１１１と接続される。さらに、バス１１０には、ＲＯＭ１１２、ＳＲＡＭ１１３、ＤＲＡＭ１１４、操作部１１５、ネットワークＩ／Ｆ１１６、通信部１１７、及び電子コンパス１１８なども接続される。
【００３１】
画像処理ユニット１０４は、撮像素子１０３ａ，１０３ｂから出力される画像データをパラレルＩ／Ｆバスを通して取り込み、それぞれの画像データに対して所定の処理を施した後、これらの画像データを合成処理して、図３（ｃ）に示されているようなメルカトル画像のデータを作成する。
【００３２】
撮像制御ユニット１０５は、一般に撮像制御ユニット１０５をマスタデバイス、撮像素子１０３ａ，１０３ｂをスレーブデバイスとして、Ｉ２Ｃバスを利用して、撮像素子１０３ａ，１０３ｂのレジスタ群にコマンド等を設定する。必要なコマンド等は、ＣＰＵ１１１から受け取る。また、撮像制御ユニット１０５は、同じくＩ２Ｃバスを利用して、撮像素子１０３ａ，１０３ｂのレジスタ群のステータスデータ等を取り込み、ＣＰＵ１１１に送る。
【００３３】
また、撮像制御ユニット１０５は、操作部１１５のシャッターボタンが押下されたタイミングで、撮像素子１０３ａ，１０３ｂに画像データの出力を指示する。撮影装置１によっては、ディスプレイ（例えば、通信端末３のディスプレイ）によるプレビュー表示機能や動画表示に対応する機能を持つ場合もある。この場合は、撮像素子１０３ａ，１０３ｂからの画像データの出力は、所定のフレームレート（フレーム／分）によって連続して行われる。
【００３４】
また、撮像制御ユニット１０５は、後述するように、ＣＰＵ１１１と協働して撮像素子１０３ａ，１０３ｂの画像データの出力タイミングの同期をとる同期制御手段としても機能する。なお、本実施形態では、撮影装置１には表示部（ディスプレイ）が設けられていないが、表示部を設けてもよい。
【００３５】
マイク１０８は、音を音（信号）データに変換する。音処理ユニット１０９は、マイク１０８から出力される音データをＩ／Ｆバスを通して取り込み、音データに対して所定の処理を施す。
【００３６】
ＣＰＵ１１１は、撮影装置１の全体の動作を制御すると共に必要な処理を実行する。ＲＯＭ１１２は、ＣＰＵ１１１のための種々のプログラムを記憶している。ＳＲＡＭ１１３及びＤＲＡＭ１１４はワークメモリであり、ＣＰＵ１１１で実行するプログラムや処理途中のデータ等を記憶する。特にＤＲＡＭ１１４は、画像処理ユニット１０４での処理途中の画像データや処理済みのメルカトル画像のデータを記憶する。
【００３７】
操作部１１５は、種々の操作ボタンや電源スイッチ、シャッターボタン、表示と操作の機能を兼ねたタッチパネルなどの総称である。ユーザは操作ボタンを操作することで、種々の撮影モードや撮影条件などを入力する。
【００３８】
ネットワークＩ／Ｆ１１６は、ＳＤカード等の外付けのメディアやパーソナルコンピュータなどとのインターフェース回路（ＵＳＢＩ／Ｆ等）の総称である。また、ネットワークＩ／Ｆ１１６としては、無線、有線を問わない。ＤＲＡＭ１１４に記憶されたメルカトル画像のデータは、このネットワークＩ／Ｆ１１６を介して外付けのメディアに記録されたり、必要に応じてネットワークＩ／Ｆ１１６を介して通信端末３等の外部装置に送信されたりする。
【００３９】
通信部１１７は、撮影装置１に設けられたアンテナ１１７ａを介して、WiFi(Wireless Fidelity)やＮＦＣ等の短距離無線技術によって、通信端末３等の外部装置と通信を行う。この通信部１１７によっても、メルカトル画像のデータを通信端末３の外部装置に送信することができる。
【００４０】
電子コンパス１１８は、地球の磁気から撮影装置１の方位及び傾き(Roll回転角)を算出し、方位・傾き情報を出力する。この方位・傾き情報はExifに沿った関連情報（メタデータ）の一例であり、撮影画像の画像補正等の画像処理に利用される。なお、関連情報には、画像の撮影日時、及び画像データのデータ容量の各データも含まれている。
【００４１】
次に、図１０を用いて、通信端末３のハードウェア構成を説明する。図１０は、通信端末３のハードウェア構成図である。図１０に示されているように、通信端末３は、通信端末３全体の動作を制御するＣＰＵ３０１、基本入出力プログラムを記憶したＲＯＭ３０２、ＣＰＵ３０１のワークエリアとして使用されるＲＡＭ(Random Access Memory)３０３、ＣＰＵ３０１の制御にしたがってデータの読み出し又は書き込みを行うＥＥＰＲＯＭ（Electrically Erasable and Programmable ROM）３０４、ＣＰＵ３０１の制御に従って被写体を撮像し画像データを得る撮像素子としてのＣＭＯＳセンサ３０５、地磁気を検知する電子磁気コンパスやジャイロコンパス、加速度センサ等の各種加速度・方位センサ３０６、フラッシュメモリ等の記録メディア３０７に対するデータの読み出し又は書き込み（記憶）を制御するメディアドライブ３０８を備えている。そして、メディアドライブ３０８の制御に従って、既に記録されていたデータが読み出され、又は新たにデータが書き込まれて記憶する記録メディア３０７が着脱自在な構成となっている。
【００４２】
なお、ＥＥＰＲＯＭ３０４には、ＣＰＵ３０１が実行するオペレーティングシステム(OS)、その他のプログラム、及び、種々データが記憶されている。また、ＣＭＯＳセンサ３０５の代わりにＣＣＤセンサを用いてもよい。
【００４３】
更に、通信端末３は、音声を音声信号に変換する音声入力部３１１、音声信号を音声に変換する音声出力部３１２、アンテナ３１３ａ、このアンテナ３１３ａを利用して無線通信信号により、最寄の基地局等と通信を行う通信部３１３、ＧＰＳ（Global Positioning Systems）衛星又は屋内ＧＰＳとしてのＩＭＥＳ(Indoor MEssaging System）によって通信端末３の位置情報（緯度、経度、および高度）を含んだＧＰＳ信号を受信するＧＰＳ受信部３１４、被写体の画像や各種アイコン等を表示する液晶や有機ＥＬなどのディスプレイ３１５、このディスプレイ３１５上に載せられ、感圧式又は静電式のパネルによって構成され、指やタッチペン等によるタッチによってディスプレイ３１５上におけるタッチ位置を検出するタッチパネル３１６、及び、上記各部を電気的に接続するためのアドレスバスやデータバス等のバスライン３１０を備えている。
【００４４】
なお、音声入力部３１１は、音声を入力するマイクが含まれ、音声出力部３１２には、音声を出力するスピーカが含まれている。
【００４５】
次に、図１１を用いて、画像管理システム５及びノートＰＣの場合の通信端末７のハードウェア構成を説明する。なお、図１１は、画像管理システム５及び通信端末７のハードウェア構成図である。画像管理システム５、及び通信端末７は、ともにコンピュータであるため、以下では、画像管理システム５の構成について説明し、通信端末７の構成の説明は省略する。
【００４６】
画像管理システム５は、画像管理システム５全体の動作を制御するＣＰＵ５０１、ＩＰＬ等のＣＰＵ５０１の駆動に用いられるプログラムを記憶したＲＯＭ５０２、ＣＰＵ５０１のワークエリアとして使用されるＲＡＭ５０３、画像管理システム５用のプログラム等の各種データを記憶するＨＤ５０４、ＣＰＵ５０１の制御にしたがってＨＤ５０４に対する各種データの読み出し又は書き込みを制御するＨＤＤ(Hard Disk Drive)５０５、フラッシュメモリ等の記録メディア５０６に対するデータの読み出し又は書き込み（記憶）を制御するメディアドライブ５０７、カーソル、メニュー、ウィンドウ、文字、又は画像などの各種情報を表示するディスプレイ５０８、通信ネットワーク９を利用してデータ通信するためのネットワークＩ／Ｆ５０９、文字、数値、各種指示などの入力のための複数のキーを備えたキーボード５１１、各種指示の選択や実行、処理対象の選択、カーソルの移動などを行うマウス５１２、着脱可能な記録媒体の一例としてのＣＤ−ＲＯＭ(Compact Disc Read Only Memory)５１３に対する各種データの読み出し又は書き込みを制御するＣＤ−ＲＯＭドライブ５１４、及び、上記各構成要素を図１１に示されているように電気的に接続するためのアドレスバスやデータバス等のバスライン５１０を備えている。
【００４７】
なお、上記各プログラムが記憶されたＣＤ−ＲＯＭ等の記録媒体、並びに、これらプログラムが記憶されたＨＤ５０４は、いずれもプログラム製品(Program Product)として、国内又は国外へ提供されることができる。
【００４８】
＜＜実施形態の機能構成＞＞
次に、図９乃至図１５を用いて、本実施形態の機能構成について説明する。図１２は、本実施形態の画像通信システムの一部を構成する、撮影装置１、通信端末３、画像管理システム５、及通信端末７の各機能ブロック図である。図１２では、画像管理システム５が、通信ネットワーク９を介して、通信端末３及び通信端末７とデータ通信することができる。
【００４９】
＜撮影装置１の機能構成＞
図１２に示されているように、撮影装置１は、受付部１２、撮像部１３、集音部１４、通信部１８、及び記憶・読出部１９を有している。これら各部は、図９に示されている各構成要素のいずれかが、ＳＲＡＭ１１３からＤＲＡＭ１１４上に展開された撮影装置用のプログラムに従ったＣＰＵ１１１からの命令によって動作することで実現される機能又は手段である。
【００５０】
また、撮影装置１は、図９に示されているＲＯＭ１１２、ＳＲＡＭ１１３、及びＤＲＡＭ１１４によって構築される記憶部１０００を有している。
【００５１】
（撮影装置１の各機能構成）
次に、図９及び図１２を用いて、撮影装置１の各機能構成について更に詳細に説明する。
【００５２】
撮影装置１の受付部１２は、主に、図９に示されている操作部１１５及びＣＰＵ１１１の処理によって実現され、利用者（図８では、撮影者Ｘ）からの操作入力を受け付ける。
【００５３】
撮像部１３は、主に、図９に示されている撮像ユニット１０１、画像処理ユニット１０４、及び撮像制御ユニット１０５、並びにＣＰＵ１１１の処理によって実現され、風景等を撮像し、撮影画像データを得る。
【００５４】
集音部１４は、図９に示されている１０８及び音処理ユニット１０９、並びにＣＰＵ１１１の処理によって実現され、撮影装置１の周囲の音を集音する。
【００５５】
通信部１８は、主に、ＣＰＵ１１１の処理によって実現され、通信端末３の通信部３８と、ＮＦＣ（Near Field Communication）規格、ＢｌｕｅＴｏｏｔｈ（登録商標）、ＷｉＦｉ（Wireless Fidelity）等による短距離無線技術によって通信することができる。
【００５６】
記憶・読出部１９は、主に、図９に示されているＣＰＵ１１１の処理によって実現され、記憶部１０００に各種データ（または情報）を記憶したり、記憶部１０００から各種データ（または情報）を読み出したりする。
【００５７】
＜通信端末３の機能構成＞
図１２にされているように、通信端末３は、送受信部３１、受付部３２、表示制御部３３、判断部３４、通信部３８、及び記憶・読出部３９を有している。これら各部は、図１０に示されている各構成要素のいずれかが、ＥＥＰＲＯＭ３０４からＲＡＭ３０３上に展開された通信端末３用プログラムに従ったＣＰＵ３０１からの命令によって動作することで実現される機能又は手段である。
【００５８】
また、通信端末３は、図１０に示されているＲＯＭ３０２、ＲＡＭ３０３、及びＥＥＰＲＯＭ３０４によって構築される記憶部３０００を有している。
【００５９】
（通信端末３の各機能構成）
次に、図１０及び図１２を用いて、通信端末３の各機能構成について更に詳細に説明する。
【００６０】
通信端末３の送受信部３１は、主に、図１０に示されている通信部３１３及びＣＰＵ３０１の処理によって実現され、通信ネットワーク９を介して、画像管理システム５と各種データ（または情報）の送受信を行う。
【００６１】
受付部３２は、主にタッチパネル３１６及びＣＰＵ３０１による処理によって実現され、ユーザから各種の選択又は入力を受け付ける。タッチパネル３１６はディスプレイ３１５と共用であってもよい。また、タッチパネル以外の入力手段（ボタン）等でもよい。
【００６２】
表示制御部３３は、主にＣＰＵ３０１の処理によって実現され、ディスプレイ３１５に各種画像や文字等を表示させるための制御を行う。
【００６３】
判断部３４は、主にＣＰＵ３０１の処理によって実現され、各種判断を行なう。
【００６４】
通信部３８は、主に、ＣＰＵ３０１の処理によって実現され、撮影装置１の通信部１８と、ＮＦＣ規格、ＢｌｕｅＴｏｏｔｈ、ＷｉＦｉ等による短距離無線技術によって通信することができる。なお、通信部３８と送受信部３１とは通信ユニットを別個に有する構成で説明したが、勿論、共用構成であってもよい。
【００６５】
記憶・読出部３９は、主に、図１０に示されているＣＰＵ３０１の処理によって実現され、記憶部３０００に各種データ（または情報）を記憶したり、記憶部３０００から各種データ（または情報）を読み出したりする。
【００６６】
＜画像管理システムの機能構成＞
次に、図１１及び図１２を用いて、画像管理システム５の各機能構成について詳細に説明する。画像管理システム５は、送受信部５１、サムネイル作成部５３、所定領域画像作成部５４、及び記憶・読出部５９を有している。これら各部は、図１１に示されている各構成要素のいずれかが、ＨＤ５０４からＲＡＭ５０３上に展開された画像管理システム５用プログラムに従ったＣＰＵ５０１からの命令によって動作することで実現される機能又は手段である。
【００６７】
また、画像管理システム５は、図１１に示されているＲＡＭ５０３、及びＨＤ５０４によって構築される記憶部５０００を有している。この記憶部５０００には、撮影画像管理ＤＢ５００１、所定領域情報管理ＤＢ５００２、及びサムネイル管理ＤＢ５００３が構築されている。このうち、撮影画像管理ＤＢ５００１は、図１３に示されている撮影画像管理テーブルによって構成されている。所定領域情報管理ＤＢ５００２は、図１４に示される所定領域情報管理テーブルによって構成されている。サムネイル管理ＤＢ５００３は、図１５に示されるサムネイル管理テーブルによって構成されている。
【００６８】
（撮影画像管理テーブル）
図１３は、撮影画像管理テーブルを示す概念図である。この撮影画像管理テーブルでは、利用者ＩＤ、撮影画像ＩＤ、撮影画像データのファイル名、及び撮影日時が関連付けて記憶されて管理されている。このうち、利用者ＩＤは、各撮影者を識別するための利用者識別情報の一例である。なお、撮影者とアップロードする者が異なる場合には、利用者ＩＤは、撮影者でなく撮影画像をアップロードする者を識別するための情報であってもよい。撮影画像ＩＤは、各撮影画像（全天球パノラマ画像）を識別するための撮影画像識別情報の一例である。撮影日時は、撮影者が撮影して、撮影画像を得た日時を示す。
【００６９】
（所定領域情報管理テーブル）
図１４は、所定領域情報管理テーブルを示す概念図である。この所定領域情報管理テーブルでは、所定領域画像ＩＤ、撮影画像ＩＤ、及び所定領域情報が関連付けて記憶されて管理されている。このうち、所定領域画像ＩＤは、各所定領域画像を識別するための所定領域画像識別情報の一例である。所定領域情報は、上述の如く、全天球パノラマ画像における所定領域Ｔを特定するための情報であり、例えば、座標ｘ(rH)、座標ｙ(rV)、及び画角α(angle)等のパラメータによって示される。
【００７０】
（サムネイル管理テーブル）
図１５は、サムネイル管理テーブルを示す概念図である。このサムネイル管理テーブルでは、サムネイルＩＤ、所定領域画像ＩＤ、及びサムネイルデータのファイル名が関連付けて記憶されて管理されている。このうち、サムネイルＩＤは、各サムネイルを識別するためのサムネイル識別情報の一例である。所定領域画像ＩＤ、所定領域画像（または所定領域情報）を識別するための所定領域画像識別情報の一例である。
【００７１】
（画像管理システムの各機能構成）
次に、図１１及び図１２を用いて、画像管理システム５の各機能構成について詳細に説明する。
【００７２】
画像管理システム５の送受信部５１は、主に、図１１に示されているネットワークＩ／Ｆ５０９及びＣＰＵ５０１の処理によって実現され、通信ネットワーク９を介して通信端末３、又は通信端末７と各種データ（または情報）の送受信を行う。
【００７３】
サムネイル作成部５３は、主に、図１１に示されているＣＰＵ５０１の処理によって実現され、例えば、ファイル形式がＲＡＷ（生、未加工）である撮影画像データに基づいて、ファイル形式がＪＰＥＧ(Joint Photographic Experts Group)である所定領域画像のサムネイルを作成する。
【００７４】
所定領域画像作成部５４は、主に、図１１に示されているＣＰＵ５０１の処理によって実現され、例えば、ファイル形式がＲＡＷである撮影画像データに基づいて、ファイル形式がＪＰＥＧである所定領域画像を作成する。なお、ファイル形式がＲＡＷでなく、ＪＰＥＧであってもよい。また、ＪＰＥＧでなく、ＴＩＦＦ(Tagged Image File Format)、ＢＭＰ(Bitmap)、ＧＩＦ(Graphics Interchange Format)等のファイル形式であってもよい。
【００７５】
記憶・読出部５９は、主に、図１１に示されているＨＤＤ５０５、及びＣＰＵ５０１の処理によって実現され、記憶部５０００に各種データ（または情報）を記憶したり、記憶部５０００から各種データ（または情報）を読み出したりする。
【００７６】
＜通信端末７の機能構成＞
次に、図１１及び図１３を用いて、通信端末７の機能構成について詳細に説明する。通信端末７は、送受信部７１、受付部７２、判断部７４、表示制御部７３、及び、記憶・読出部７９を有している。これら各部は、図１１に示されている各構成要素のいずれかが、ＨＤ５０４からＲＡＭ５０３上に展開された通信端末７用プログラムに従ったＣＰＵ５０１からの命令によって動作することで実現される機能又は手段である。
【００７７】
また、通信端末７は、図１１に示されているＲＡＭ５０３、及びＨＤ５０４によって構築される記憶部７０００を有している。
【００７８】
（通信端末７の各機能構成）
次に、図１３を用いて、通信端末７の各機能構成について詳細に説明する。
【００７９】
通信端末７の送受信部７１は、主に、図１１に示されているネットワークＩ／Ｆ５０９及びＣＰＵ５０１の処理によって実現され、通信ネットワーク９を介して画像管理システム５と各種データ（または情報）の送受信を行う。
【００８０】
受付部７２は、主に、図１１に示されているキーボード５１１及びマウス５１２、並びにＣＰＵ５０１の処理によって実現され、利用者（図８では、閲覧者Ｙ）からの操作入力を受け付ける。
【００８１】
表示制御部７３は、主に、図１１に示されているＣＰＵ５０１の処理によって実現され、通信端末７のディスプレイ５０８に各種画像を表示させるための制御を行なう。
【００８２】
判断部７４は、主に、図１１に示されているＣＰＵ５０１の処理によって実現され、各種判断を行なう。
【００８３】
記憶・読出部７９は、主に、図１１に示されているＨＤＤ５０５、及びＣＰＵ５０１の処理によって実現され、記憶部７０００に各種データ（または情報）を記憶したり、記憶部７０００から各種データ（または情報）を読み出したりする。
【００８４】
＜＜実施形態の処理又は動作＞＞
続いて、図１６乃至図１９を用いて、本実施形態の処理又は動作について説明する。まず、図１６及び図１７を用いて、撮影画像データ及び所定領域情報のアップロードの処理について説明する。図１６は、撮影画像データ及び所定領域情報のアップロードの処理を示したシーケンス図である。図１７（ａ）、（ｂ）はディスプレイに所定領域画像が表示された通信端末を示す図である。
【００８５】
図１６に示されているように、受付部３２が撮影者Ｘの操作を受け付けることで、通信部３８は、撮影装置１の通信部１８から撮影画像データを取得する（ステップＳ２１）。なお、この場合、撮影画像データは、図３（ａ）、（ｂ）に示されるような全天球パノラマ画像のファイル形式がＲＡＷである画像データである。
次に、受付部３２が撮影者Ｘの操作を受け付けることで、図６（ｂ）に示されているように、表示制御部３３は初期設定された所定領域情報によって、ディスプレイ３１５上に所定領域画像Ｐ１を表示する（ステップＳ２２）。そして、受付部３２が、撮影者Ｘによるディスプレイ３１５上のタッチ及びスライドを受け付けることで、表示制御部３３は、図１７（ｂ）に示されているように、ディスプレイ３１５上に所定領域画像Ｐ２を表示する（ステップＳ２３）。ここで、撮影者Ｘが所定領域画像Ｐ２を他の利用者と共有した場合には、「領域確定」ボタンＢ１を押下し、受付部３２が所定領域画像Ｐ２を示す所定領域情報を受け付ける（ステップＳ２４）。このように、撮影者Ｘが共有したい所定領域画像の選択を繰り返し、最終的に「アップロード」ボタンＢ２を押下すると、受付部３２アップロードの要求を受け付け、送受信部３１が画像管理システム５に対して、撮影画像データ、及び上記ステップＳ２４で受け付けた各所定領域情報を送信する（ステップＳ２５）。この場合、撮影画像データは、上記ファイル形式がＲＡＷのままの画像データある。また、送受信部３１は、撮影画像データ及び所定領域情報とともに、利用者ＩＤ、撮影画像データのファイル名、撮影画像の撮影日時を示す撮影日時情報も送信する。これにより、画像管理システム５の送受信部５１は、撮影画像データ、所定領域情報、利用者ＩＤ、撮影画像データのファイル名、及び撮影日時情報を受信する。なお、図１７における「キャンセル」ボタンＢ３が押下されると、受付部３２が受け付けた直近の所定領域情報を解除する。
【００８６】
次に、画像管理システム５の記憶・読出部５９は、ステップＳ２５によって受信された撮影画像データを記憶部５０００にファイル形式がＲＡＷのまま記憶する（ステップＳ２６）。また、記憶・読出部５９は、ステップＳ２５によって受信された撮影画像データに対して撮影画像ＩＤを割り当てるとともに、この撮影画像ＩＤと、ステップＳ２５によって受信された利用者ＩＤ、撮影画像データのファイル名、及び撮影日時情報を関連付けて、撮影画像管理テーブル（図１３参照）に記憶して管理する（ステップＳ２７）。更に、記憶・読出部５９は、ステップＳ２５によって受信された所定領域情報に対して所定領域画像ＩＤを割り当てるとともに、この所定領域画像ＩＤと、ステップＳ２７で割り当てた撮影画像ＩＤ、及びステップ２５で受信された所定領域情報を関連付けて、所定領域情報管理テーブル（図１４参照）に記憶して管理する（ステップＳ２８）。図１４では、同じ撮影画像データ（撮影画像ＩＤ「ｐ０００１」）に対して、異なる複数の所定領域情報が管理されている。以上により、撮影画像データ及び所定領域情報のアップロードの処理が終了する。
【００８７】
続いて、図１８及び図１９を用いて、所定領域画像データのダウンロードの処理を説明する。所定領域画像データのダウンロードの処理を示したシーケンス図である。
【００８８】
まず、通信端末７の受付部７２が、閲覧者Ｙの操作を受け付けることで、送受信部７１は画像管理システム５に対して所定領域画像のサムネイルの要求を送信する（ステップＳ４１）。このサムネイルの要求には、閲覧者Ｙが所望する撮影者の利用者ＩＤが含まれている。これにより、画像管理システム５の送受信部５１は、サムネイルの要求を受信する。
【００８９】
次に、サムネイル作成部５３は、ステップＳ４１の要求の受信に応じて、撮影画像データに係る画像において所定領域情報で示される所定領域のサムネイルデータを作成する（ステップＳ４２）。より具体的には、記憶・読出部５９が、ステップＳ４１によって受信された利用者ＩＤを検索キーとして撮影画像管理テーブル（図１３参照）を検索することにより、対応する撮影画像ＩＤ及び撮影画像データのファイル名を読み出す。そして、記憶・読出部５９が、この読み出したファイル名の撮影画像データを記憶部５０００から読み出す。更に、記憶・読出部５９が、読み出した撮影画像ＩＤを検索キーとして所定領域情報管理テーブル（図１４参照）を検索することにより、対応する所定領域画像ＩＤ及び所定領域情報を読み出す。これにより、サムネイル作成部５３は、読み出された撮影画像データに係る画像のうち、読み出された所定領域情報で示される所定領域画像の部分のサムネイルを作成する。
【００９０】
次に。記憶・読出部５９は、サムネイル毎に、サムネイルＩＤを割り当てるとともに、このサムネイルＩＤと、ステップＳ４２で読み出した所定領域画像ＩＤ及び作成したサムネイルのファイル名を関連付けて、所定領域情報管理テーブル（図１４参照）に記憶して管理する。（ステップＳ４３）。また、この際、記憶・読出部５９は、サムネイル作成部５３によって作成されたサムネイルデータを記憶部５０００に記憶する。
【００９１】
次に、送受信部５１は、通信端末７に対して、サムネイル作成部５３で作成された各サムネイルデータを送信する（ステップＳ４４）。各サムネイルデータには、それぞれを識別するためのサムネイルＩＤが含まれている。これにより、通信端末７の送受信部７１は、各サムネイルデータを受信する。
【００９２】
次に、通信端末７では、表示制御部７３が通信端末７のディスプレイ５０８上に、図１９（ａ）に示されているように、各サムネイルを示したダウンロード画像選択画面を表示する（ステップＳ４５）。このダウンロード画像選択画面には、各サムネイルと各サムネイルを選択するための選択欄が表示されている。そして、受付部７２は、閲覧者Ｙからダウンロードしたい所定領域画像のサムネイルの選択を受け付ける（ステップＳ４６）。図１９（ａ）では、閲覧者Ｙは、４つのサムネイルのうち、右上のサムネイルを選択した場合を示している。そして、閲覧者Ｙが「ダウンロード」ボタンｂ１を押下すると、受付部７２がダウンロードの受け付けを行い、送受信部７１が、画像管理システム５に対して、所定領域画像の要求を送信する（ステップＳ４７）。この要求には、ステップＳ４６で選択されたサムネイルを示すサムネイルＩＤが含まれている。これにより、画像管理システム５の送受信部５１が、所定領域画像の要求を受信する。
【００９３】
次に、画像管理システム５では、所定領域画像作成部５４が、ステップＳ４７で受信されたサムネイルＩＤに基づいて、要求された所定領域画像を作成する。より具体的には、記憶・読出部７９が、ステップＳ４７で受信されたサムネイルＩＤを検索キーとしてサムネイル管理テーブル（図１５参照）を検索することにより、対応する所定領域画像ＩＤを読み出す。そして、記憶・読出部７９が、読み出した所定領域画像ＩＤを検索キーとして所定領域情報管理テーブル（図１４参照）を検索することにより、対応する撮影画像ＩＤ及び所定領域情報を読み出す。更に、記憶・読出部７９が、読み出した撮影画像ＩＤを検索キーとして撮影画像管理テーブル（図１３参照）を検索することにより、対応する撮影画像データのファイル名を読み出し、このファイル名の撮影画像データを記憶部５０００から読み出す。これにより、所定領域画像作成部５４は、読み出された撮影画像データに係る画像のうち、読み出された所定領域情報で示される所定領域画像を作成する。この所定領域画像のファイル形式はＪＰＥＧ（ＴＩＦＦ、ＢＭＰ(Bitmap)、ＧＩＦ）であり、ＲＡＷではない。
【００９４】
次に、送受信部５１は、通信端末７に対して、ステップＳ４８で作成された所定領域画像を送信する（ステップＳ４８）。これにより、通信端末７の送受信部７１は、所定領域画像を受信する。
【００９５】
次に、通信端末７では、表示制御部７３が、図１９（ｂ）に示されているように、通信端末７のディスプレイ５０８上に所定領域画像ｐ２を表示する（ステップＳ３０）。なお、「戻る」ボタンｂ２は、初期画面に戻るためのボタンであり、「戻る」ボタンｂ３は、図１９（ａ）に示されているダウンロード画像選択画面に戻るためのボタンである。なお、受信した所定領域画像は記憶部７０００に記憶させてもよい。
【００９６】
＜＜本実施形態の主な効果＞＞
以上説明したように本実施形態によれば、画像管理システム５は、所定領域画像を記憶せず、所定領域情報を記憶しておき、通信端末７からダウンロードの要求を受信してから２次元の所定領域画像を作成して、通信端末７に送信している。これにより、記憶部５０００の記憶容量を抑制しながらも、全天球パノラマ画像を表示・閲覧するためのビューアがインストールされていない通信端末でも所定領域画像を表示・閲覧することができる。
【符号の説明】
【００９７】
１  撮影装置
３  通信端末
５  画像管理システム
７  通信端末
９  通信ネットワーク
５１  送受信部（送信手段の一例、受信手段の一例）
５３  サムネイル作成部（サムネイル作成手段の一例）
５４  所定領域画像作成部（所定領域画像作成の一例）
【先行技術文献】
【特許文献】
【００９８】
【特許文献１】特開２０１４−１３１２１５号公報
【図１】
2018026642.tif 000003
【図２】
2018026642.tif 000004
【図３】
2018026642.tif 000005
【図４】
2018026642.tif 000006
【図５】
2018026642.tif 000007
【図６】
2018026642.tif 000008
【図７】
2018026642.tif 000009
【図８】
2018026642.tif 000010
【図９】
2018026642.tif 000011
【図１０】
2018026642.tif 000012
【図１１】
2018026642.tif 000013
【図１２】
2018026642.tif 000014
【図１３】
2018026642.tif 000015
【図１４】
2018026642.tif 000016
【図１５】
2018026642.tif 000017
【図１６】
2018026642.tif 000018
【図１７】
2018026642.tif 000019
【図１８】
2018026642.tif 000020
【図１９】
2018026642.tif 000021